(57)【要約】【課題】耐震性を確保しつつ、野縁を傾斜して支持することができる連結金具および天井構造を提供する。【解決手段】リップ部２ｃを備えた溝型スタッド材からなる野縁２と、野縁２を支持する野縁受け３とを連結する連結金具１において、野縁受け３に固定されるとともにその下端部が野縁２を傾斜可能にリップ部２ｃを係止する係止部材１０と、野縁受け３の側面（ウエブ３ａ）に固定されるとともにその下端部が野縁２の側面（側面部２ｂ）に固定される固定部材３０とを備えていることを特徴とする。【選択図】図１
2018123576.tif 000002
【特許請求の範囲】
【請求項１】
リップ部を備えた溝型スタッド材からなる野縁と、前記野縁を支持する野縁受けとを連結する連結金具において、
前記野縁受けに固定されるとともにその下端部が前記野縁を傾斜可能に前記リップ部を係止する係止部材と、野縁受けの側面に固定されるとともにその下端部が前記野縁の側面に固定される固定部材とを備えている
ことを特徴とする連結金具。
【請求項２】
前記係止部材と前記固定部材とは、前記野縁受けを挟むように配置されており、
前記係止部材と前記野縁受けと前記固定部材とは、締結部材にて固定されている
ことを特徴とする請求項１に記載の連結金具。
【請求項３】
前記野縁受けは、側方に開口する断面コ字状の溝型チャンネル材からなり、
前記固定部材は、前記野縁の側面にそれぞれ固定されるとともに前記野縁受けの位置まで延在する一対の固定板部と、前記一対の固定板部同士を連結するとともに前記野縁受けの側面に固定される連結板部とを備えており、
前記固定板部の上部と前記連結板部には、前記野縁受けのフランジを収容する切欠き部が形成されている
ことを特徴とする請求項１または請求項２に記載の連結金具。
【請求項４】
前記係止部材は、前記野縁受けの上面に当接する横板部と、前記野縁受けの側面に当接する縦板部と、前記縦板部の下端部に連続する係止部とを備えており、
前記横板部には、板の一部を斜め下に傾斜させて前記野縁受けの前記フランジの端部を掛け止める切下げ部が形成されている
ことを特徴とする請求項３に記載の連結金具。
【請求項５】
前記係止部材は、前記野縁受けの上面に当接する横板部と、前記野縁受けの側面に当接する縦板部と、前記縦板部の下端部に連続する係止部とを備えており、
前記連結板部に形成された前記切欠き部には、前記横板部が挿通されるように構成されており、
前記横板部には、板の一部を斜め上に傾斜させて前記固定部材の前記連結板部を掛け止める切起し部が形成されている
ことを特徴とする請求項３に記載の連結金具。
【請求項６】
請求項１乃至請求項５のいずれか１項に記載の連結金具を用いて野縁と野縁受けとを連結した天井構造であって、
前記野縁受けは、側面視で直線状であるとともに平面視で孤状を呈する湾曲形状に形成されており、
前記野縁は、傾斜した状態で前記野縁受けに連結されている
ことを特徴とする天井構造。
【発明の詳細な説明】
【技術分野】
【０００１】
本発明は、野縁と野縁受けを連結する連結金具およびこれを用いた天井構造に関する。
【背景技術】
【０００２】
天井下地材は、上部構造体から吊り下げられた野縁受けに、野縁を連結して構成されている。野縁と野縁受けは格子状に配置されている。野縁受けは、側方に開口された断面コ字状の金属製チャンネル材が用いられ、野縁は、上方に開口され、上端に互いに対向するリップ部を備えた断面Ｃ字状の金属製スタッド材が用いられることが多い。野縁と野縁受けを連結する金具は、たとえば、特許文献１に示すような構成のものが知られていた。特許文献１の連結金具は、クリップと称され、野縁受けを側部から覆う立板部と、立板部の下方に延在する係止部とを備えている。係止部は、野縁の内側に挿入されてリップ部を下側から係止する。
【０００３】
ところで、近年では、耐震性を求められることが多い。前記のクリップでは、耐震性が弱いため、野縁と野縁受けにビスやボルトを用いて連結される連結金具が使用されるようになっている（例えば、特許文献２参照）。特許文献２の連結金具は、野縁受けを上側から覆う第一固定部と、第一固定部の下端部に連続して設けられ野縁を上側から覆う第二固定部とを備えている。第一固定部は、下方に開口する断面コ字状を呈しており、第一固定部の一方の側板部が野縁受けの側面にビス止めされている。第二固定部は、第一固定部の下端部の両側にそれぞれ形成されている。第二固定部は、下方に開口する断面コ字状を呈しており、第二固定部の側板部が野縁の両側面にそれぞれビス止めされている。
【先行技術文献】
【特許文献】
【０００４】
【特許文献１】特開２０１４−２１８７７７号公報
【特許文献２】特開２０１５−１２９５３０号公報
【発明の概要】
【発明が解決しようとする課題】
【０００５】
特許文献２の連結金具は、第二固定部が第一固定部の側板部に対して直交しているので、天井面が傾斜した傾斜天井に対応することはできなかった。一方、特許文献１のクリップでは、野縁を傾斜させて係止することができるので傾斜天井に対応することができるものの、耐震性を確保することができなかった。
【０００６】
そこで、本発明は、前記の問題を解決するためになされたものであり、耐震性を確保しつつ、野縁を傾斜して支持することができる連結金具および天井構造を提供することを課題とする。
【課題を解決するための手段】
【０００７】
前記課題を解決するための本発明は、リップ部を備えた溝型スタッド材からなる野縁と、前記野縁を支持する野縁受けとを連結する連結金具において、前記野縁受けに固定されるとともにその下端部が前記野縁を傾斜可能に前記リップ部を係止する係止部材と、野縁受けの側面に固定されるとともにその下端部が前記野縁の側面に固定される固定部材とを備えていることを特徴とする連結金具である。
【０００８】
前記構成の連結金具によれば、野縁を、係止部材で傾斜した状態で係止した後に、固定部材を介して野縁と野縁受けとを強固に固定することができる。したがって、野縁を野縁受けに、耐震性を確保しつつ、傾斜した状態で容易に固定することができる。
【０００９】
そして、本発明の連結金具では、前記係止部材と前記固定部材とは、前記野縁受けを挟むように配置されており、前記係止部材と前記野縁受けと前記固定部材とは、締結部材にて固定されているものが好ましい。このような構成によれば、野縁受けを係止部材と固定部材とで挟持することで固定強度を高めることができる。
【００１０】
また、本発明の連結金具では、前記野縁受けは、側方に開口する断面コ字状の溝型チャンネル材からなり、前記固定部材は、前記野縁の側面にそれぞれ固定されるとともに前記野縁受けの位置まで延在する一対の固定板部と、前記一対の固定板部同士を連結するとともに前記野縁受けの側面に固定される連結板部とを備えており、前記固定板部の上部と前記連結板部には、前記野縁受けのフランジを収容する切欠き部が形成されているものが好ましい。このような構成によれば、野縁受けのフランジを固定部材に噛み合わせるとともに、野縁受けの側面と固定部材の連結板部とを当接されることができる。これによって、野縁受けと固定部材をビスまたはボルトで強固に固定することができるとともに、固定部材が、野縁受けに対して回転するのを防止できる。
【００１１】
さらに、本発明の連結金具では、前記係止部材は、前記野縁受けの上面に当接する横板部と、前記野縁受けの側面に当接する縦板部と、前記縦板部の下端部に連続する係止部とを備えており、前記横板部には、板の一部を切り下げて前記野縁受けの前記フランジの端部に掛け止められる切下げ部が形成されているものが好ましい。このような構成によれば、係止部材を野縁受けに容易に仮固定することができるので、締結部材を介して固定部材を野縁受けに本固定する前に、野縁を安定した状態で係止することができる。
【００１２】
また、本発明の連結金具では、前記係止部材は、前記野縁受けの上面に当接する横板部と、前記野縁受けの側面に当接する縦板部と、前記縦板部の下端部に連続する係止部とを備えており、前記連結板部に形成された前記切欠き部には、前記横板部が挿通されるように構成されており、前記横板部には、板の一部を斜め上に傾斜させて前記固定部材の前記連結板部を掛け止める切起し部が形成されているものが好ましい。このような構成によれば、固定部材を係止部材に容易に仮固定することができるので、締結部材を介して固定部材を野縁受けに本固定する前に、固定部材を安定した状態で野縁および係止部材に仮固定することができる。
【００１３】
前記課題を解決するための第二の発明は、請求項１乃至請求項５のいずれか１項に記載の連結金具を用いて野縁と野縁受けとを連結した天井構造であって、前記野縁受けは、側面視で直線状であるとともに平面視で孤状を呈する湾曲形状に形成されており、前記野縁は、傾斜した状態で前記野縁受けに連結されていることを特徴とする天井構造である。前記構成の天井構造によれば、野縁を野縁受けに、耐震性を確保しつつ、傾斜した状態で固定することができるとともに、円錐の曲面形状を呈した天井面を容易に形成することができる。
【発明の効果】
【００１４】
本発明に係る連結金具および天井構造によれば、耐震性を確保しつつ、野縁を傾斜して支持することができる、といった優れた効果を発揮する。
【図面の簡単な説明】
【００１５】
【図１】本発明の実施形態に係る連結金具を用いて野縁と野縁受けを連結した状態を示した斜視図である。
【図２】本発明の実施形態に係る連結金具と野縁と野縁受けとの配置状態を示した分解斜視図である。
【図３】本発明の実施形態に係る連結金具を用いて野縁と野縁受けを連結した状態を示した図であって、（ａ）は平面図、（ｂ）は正面図、（ｃ）は側面図である。
【図４】本発明の実施形態に係る連結金具の係止部材を示した図であって、（ａ）は平面図、（ｂ）は正面図、（ｃ）は側面図である。
【図５】本発明の実施形態に係る連結金具の係止部材を示した斜視図である。
【図６】本発明の実施形態に係る連結金具の固定部材を示した図であって、（ａ）は平面図、（ｂ）は正面図、（ｃ）は側面図である。
【図７】（ａ）および（ｂ）は、本発明の実施形態に係る連結金具の固定金具を示した斜視図である。
【図８】本発明の実施形態に係る天井構造を示した斜視図である。
【発明を実施するための形態】
【００１６】
本発明の実施形態に係る連結金具および天井構造について図面を参照しながら詳細に説明する。図１に示すように、連結金具１は、野縁２と野縁受け３とを連結する金具である。
【００１７】
野縁２は、上方に開口された断面Ｃ字状の金属製の溝型スタッド材からなり、底面部２ａと側面部２ｂとリップ部２ｃとを備えている。側面部２ｂは、底面部２ａの幅方向両端から立ち上がっており、互いに平行になっている。リップ部２ｃは、側面部２ｂの上端から内側に向かって突出しており、互いに対向している。野縁受け３は、側方に開口する断面コ字状の溝型チャンネル材からなり、ウエブ３ａと上下のフランジ３ｂ，３ｂとを備えている。野縁受け３は、梁や床スラブ等の上部構造体（図示せず）から吊り下げられた吊ボルト４に、吊ハンガー５を介して支持されている。なお、野縁２と野縁受け３の構成や野縁受け３の支持構造は一例であって、前記構成に限定されるものではない。
【００１８】
図１乃至図３に示すように、連結金具１は、係止部材１０と固定部材３０とを備えている。連結金具１は、野縁２を傾斜させた状態で野縁受け３に連結可能である（図１および図３の（ｃ）参照）。係止部材１０と固定部材３０とは、野縁受け３を挟むように配置されている。
【００１９】
係止部材１０は、上部が野縁受け３に固定されるとともに、その下端部が野縁２のリップ部２ｃを係止する。図４および図５にも示すように、係止部材１０は、一枚の金属板（たとえばアルミニウム合金製の板材）を適宜折り曲げて形成されている。係止部材１０は、横板部１１と、横板部１１の端部から垂下する縦板部１２と、縦板部１２の下部に連続する係止部１３とを備えている。
【００２０】
横板部１１は、野縁受け３の上面（上側のフランジ３ｂの上面）に当接する部位である。横板部１１は、縦板部１２の上端から直交して水平方向に張り出しており、横板部１１の張出寸法は、フランジ３ｂの張出寸法より大きい。
【００２１】
横板部１１の張出先端側には、切下げ部１４が形成されている。切下げ部１４は、板の一部を切り下げて野縁受け３のフランジ３ｂの端部を掛け止める。切下げ部１４は、四角形の三辺を切断し、残りの一辺で四角形を斜め下側に折り曲げて形成されている。切下げ部１４は、横板部１１の張出先端側が折り曲げられ、縦板部１２側が傾斜して下げられている。切下げ部１４の下げられた端部が、フランジ３ｂの先端部と当接することで、係止部材１０がフランジ３ｂに掛け止められている。切下げ部１４は、横板部１１の幅方向（野縁受け３の長手方向）に間隔をあけて二箇所に形成されている。
【００２２】
横板部１１の縦板部１２側の基端側には、切起し部１５が形成されている。切起し部１５は、板の一部を切り起して固定部材３０の後記する連結板部３２を掛け止める。切起し部１５は、四角形の三辺を切断し、残りの一辺で四角形を斜め上側に折り曲げて形成されている。切起し部１５は、横板部１１の張出先端側が折り曲げられ、縦板部１２側が傾斜して上げられている。切起し部１５の上がった端部が、連結板部３２の表面と当接することで、係止部材１０が固定部材３０に掛け止められている。切起し部１５は、横板部１１の幅方向の中間部に一箇所形成されている。
【００２３】
縦板部１２は、横板部１１の端部から垂下しており、野縁受け３のウエブ３ａ（側面）に当接する。縦板部１２の幅寸法は、野縁２の一対のリップ部２ｃ，２ｃ間の内のり寸法よりも小さく、野縁２の内側に挿入可能となっている。縦板部１２の幅寸法は、横板部１１の幅寸法と同等である。縦板部１２の高さ寸法は、ウエブ３ａの高さ寸法より大きく、縦板部１２の下端部が野縁２の内側に入り込むようになっている。
【００２４】
係止部１３は、縦板部１２の下端部に連続して幅方向両側に広がって形成されている。係止部１３の幅寸法は、リップ部２ｃ，２ｃ間の内のり寸法よりも大きく、側面部２ｂ，２ｂ間の内のり寸法よりも小さい。つまり、係止部１３は、リップ部２ｃ，２ｃを下側から係止する。係止部１３を野縁２内に挿入する際には、野縁２の長手方向を法線とする平面から係止部１３を傾斜させた状態で係止部材１０を野縁２内に降ろす。
【００２５】
図１乃至図３に示すように、固定部材３０は、野縁受け３のウエブ３ａ（側面）に固定されるとともに、その下端部が野縁２の側面部２ｂに固定される。固定部材３０は、野縁受け３および野縁２に対して、ビスＶまたはボルト等の締結部材を介して固定される。図６および図７にも示すように、固定部材３０は、一枚の金属板（たとえばアルミニウム合金製の板材）を適宜折り曲げて形成されている。固定部材３０は、固定板部３１と連結板部３２とを備えている。
【００２６】
固定板部３１は、野縁２を固定して支持する部分である。固定板部３１は、一対設けられており、野縁２の側面部２ｂにそれぞれ固定される。固定板部３１は、平板状部材からなり、野縁２の側面部２ｂに当接する野縁固定部３３と、野縁固定部３３が上方に延在する上方延在部３４とを備えている。上方延在部３４は、野縁受け３の側方まで延在している。固定板部３１，３１間の内のり寸法は、野縁２の幅寸法と同等となっている。上方延在部３４は、係止部材１０の横板部１１の上部とで、野縁受け３のウエブ３ａを挟むように配置されている。上方延在部３４と横板部１１とウエブ３ａとは、ビスＶまたはボルト等の締結部材を介して固定される。
【００２７】
固定板部３１の幅方向一端部には、固定板部３１に直交して外側に広がる補強リブ３５が形成されている。補強リブ３５は、野縁固定部３３から上方延在部３４に渡って上下方向に延在している。野縁固定部３３の他端部（補強リブ３５と反対側の端部）は、横方向に張り出している。野縁固定部３３には、側面部２ｂを固定するためのビス孔３６が二箇所に形成されている。二つのビス孔３６，３６は、高さが違う位置に形成されている。ビス孔３６の位置は、固定される野縁２の傾斜角度に応じて適宜決定される。ビス孔３６は、連結板部３２を含む仮想平面を挟む位置に形成されている。なお、二つのビス孔３６を同じ高さに形成してよもよい。
【００２８】
連結板部３２は、固定板部３１，３１を連結するとともに、野縁受け３に固定される部分である。連結板部３２と固定板部３１，３１とで、平面視コ字状を呈している。連結板部３２の高さ寸法は、野縁受け３の高さ寸法より大きい。連結板部３２は、一対の固定板部３１，３１の上方延在部３４，３４の同じ側の端部にそれぞれ連続して繋がっている。連結板部３２は、野縁受け３のウエブ３ａに当接する。連結板部３２には、ウエブ３ａを固定するためのビス孔３６が形成されている。
【００２９】
固定板部３１，３１の上方延在部３４，３４および連結板部３２には、野縁受け３のフランジ３ｂを収容する切欠き部３７，３８が上下二箇所に形成されている。上側の切欠き部３７は、上方延在部３４および連結板部３２に沿って形成されている。上方延在部３４に形成された側方切欠き部３７ａは、連結板部３２側から切り欠かれており、連結板部３２に対して直交して延在している。側方切欠き部３７ａの入口部分と、連結板部３２に形成された連結板切欠き部３７ｂは、開口幅が大きくなっている。側方切欠き部３７ａには、野縁受け３のフランジ３ｂが挿通される。側方切欠き部３７ａの入口部分は開口幅が大きいので、フランジ３ｂを挿通しやすい。また、開口幅が大きい連結板切欠き部３７ｂには、野縁受け３のフランジ３ｂと係止部材１０の横板部１１が挿通される。
【００３０】
下側の切欠き部３８は、上方延在部３４および連結板部３２に沿って形成されている。連結板部３２に形成された連結板切欠き部３８ｂは、下方に連結板部３２がなく、下方が開放されている。上方延在部３４に形成された側方切欠き部３８ａは、連結板部３２に対して直交して延在している。側方切欠き部３８ａは、下方に野縁固定部３３が位置し、下方が野縁固定部３３にて区画されている。側方切欠き部３８ａの入口部分は、開口幅が大きくなっている。側方切欠き部３８ａの入口部分は開口幅が大きいので、フランジ３ｂを挿通しやすい。
【００３１】
前記構成の連結金具１を用いて野縁２と野縁受け３とを連結するに際しては、まず、係止部材１０の係止部１３を野縁２内に挿入して、リップ部２ｃ，２ｃを下側から係止した状態で、係止部材１０を、野縁受け３のウエブ３ａ側から装着する。このとき、野縁２は、野縁２の長手方向に間隔をあけて配置された高さ位置の異なる係止部材１０にそれぞれ係止されて傾斜している。一方、係止部材１０の横板部１１を、野縁受け３のフランジ３ｂ上に当接させる。すると、切下げ部１４の下がった端部が、フランジ３ｂの先端部と当接することで、係止部材１０がフランジ３ｂに掛け止められる。これによって、野縁２が係止部材１０に係止されて仮固定されるとともに、係止部材１０が、野縁受け３に仮固定される。
【００３２】
その後、固定部材３０を野縁受け３に装着する。固定部材３０は、図２に示すように、野縁受け３の断面コ字状の開放側から装着する。具体的には、切欠き部３７，３８にフランジ３ｂ，３ｂを挿通させながら、連結板部３２をウエブ３ａの内側面に当接させる。このとき、係止部材１０の横板部１１は、上側のフランジ３ｂとともに、上側の切欠き部３７から挿入される。すると、連結板部３２が切起し部１５を乗り越えて、切起し部１５の上がった端部が、連結板部３２の表面と当接することで、係止部材１０が固定部材３０に掛け止められる。これによって、係止部材１０と固定部材３０が仮固定されることとなり、野縁受け３と係止部材１０と固定部材３０とがそれぞれ仮固定される。このとき、野縁受け３は、係止部材１０と固定部材３０とで挟まれた状態となる。また、野縁２は、固定部材３０の固定板部３１，３１の野縁固定部３３，３３間に位置している。
【００３３】
次に、固定部材３０の連結板部３２のビス孔３６からビスＶをもんで、固定部材３０と野縁受け３と係止部材１０とを本固定する。さらに、固定部材３０の固定板部３１のビス孔３６からビスＶをもんで、固定部材３０と野縁２とを本固定する。
【００３４】
前記連結金具１を用いて野縁２と野縁受け３とを連結して構成した天井構造５０を図８に示す。かかる天井構造５０は、野縁受け３が、側面視で直線状であるとともに、平面視で孤状を呈する湾曲形状に形成されている。野縁受け３は、直線状のチャンネル材を曲げ加工によって湾曲させて形成されている。野縁受け３は、一方向のみに湾曲しているので、曲げ加工を容易に行うことができる。野縁２は、傾斜した状態で野縁受け３に連結されている。連結金具１の構成と連結手順は前記と同様である。
【００３５】
このような野縁受け３と連結金具１を用いた天井構造５０によれば、円錐の曲面形状を呈した天井面を形成することができるので、複雑な曲面の美観に優れた天井を構築することができる。また、野縁受け３は、一方向のみに湾曲しているので、曲げ加工を容易に行うことができる。なお、野縁受け３の形状は前記構成に限定されるものではない。たとえば、側面視のみで湾曲する野縁受けを用いれば、円柱の曲面形状を呈した天井面を形成することができる。
【００３６】
本実施形態に係る連結金具１によれば、野縁２を、係止部材１０で傾斜した状態で係止した後に、固定部材３０でビスＶを介して固定することができる。つまり、野縁２を係止部材１０で仮固定した後に、固定部材３０で本固定する。したがって、野縁２の位置調整を仮固定の状態で行うことができるので、安定した状態で位置調整を正確且つ容易に行うことができる。
【００３７】
また、ビスＶを用いて固定部材３０と野縁２、固定部材３０と野縁受け３とをそれぞれ固定するので、野縁２が野縁受け３に強固に固定される。したがって、耐震性を確保しつつ、野縁２を野縁受け３に傾斜した状態で固定することができる。さらに、固定板部３１の野縁固定部３３の二つのビス孔３６，３６は、連結板部３２を含む仮想平面を挟む位置に形成されているので、野縁受け３のウエブ３ａを挟むように、野縁２の支持点が配置されるので、野縁２の荷重が偏ることなく安定した状態で支持できる。
【００３８】
さらに、固定部材３０の上方延在部３４および連結板部３２には、野縁受け３のフランジ３ｂを収容する切欠き部３７，３８が形成されているので、フランジ３ｂを固定部材３０に噛み合わせるとともに、野縁受け３のウエブ３ａと固定部材３０の連結板部３２とを当接されることができる。これによって、野縁受け３と固定部材３０とを、ビスＶで強固に且つ容易に固定することができる。さらに、固定部材３０が、野縁受け３に対して回転するのを防止できる。
【００３９】
また、係止部材１０は、横板部１１と縦板部１２と係止部１３とを備えているので、野縁２を係止部材１０に係止できるとともに、係止部材１０を野縁受け３に係止することができる。よって、野縁受け３を容易に仮固定することができる。また、係止部１３は、板状であって、野縁２のリップ部２ｃを下側から係止しているので、野縁２を傾斜した状態で仮固定できる。
【００４０】
横板部１１に切下げ部１４を形成しているので、係止部材１０を野縁受け３のフランジ３ｂに容易に掛け止めることができる。さらに、横板部１１に切起し部１５を形成しているので、固定部材３０を係止部材１０に容易に掛け止めることができる。これによって、固定部材３０と係止部材１０と野縁受け３とが一体的に仮固定される。
【００４１】
最終的には、固定部材３０の連結板部３２と野縁受け３のウエブ３ａと係止部材１０の縦板部１２とをビスＶによって強固に固定するとともに、固定部材３０の固定板部３１と野縁２の側面部２ｂとをビスＶによって強固に固定することで、耐震性を得ることができる。また、固定板部３１の野縁固定部３３の二つのビス孔３６，３６は、連結板部３２を含む仮想平面を挟む位置に形成されているので、野縁受け３のウエブ３ａを含む仮想平面を挟むように、野縁２の支持点が配置される。したがって、野縁２の荷重が偏ることなく安定した状態で、野縁２の荷重を野縁受け３に伝達することができる。
【００４２】
さらに、固定板部３９は、横方向に張り出していて、ビス孔３６が二箇所に形成されているので、野縁２を傾斜した状態で固定することができる。二つのビス孔３６，３６は、高さが違う位置に形成されているので、野縁２の傾斜角度を大きくすることもできる。
【００４３】
以上、本発明を実施するための形態について説明したが、本発明は前記の実施形態に限定されず、本発明の趣旨を逸脱しない範囲で、材質、形状や大きさなど適宜設計変更が可能である。たとえば、前記実施形態では、係止部材１０と固定部材３０で、野縁受け３を挟むように、各部材が配置されているが、これに限定されるものではない。たとえば、係止部材１０と野縁受け３で、固定部材３０を挟んでもよいし、固定部材３０と野縁受け３で、係止部材１０を挟んでもよい。
【００４４】
また、前記実施形態では、係止部材１０および固定部材３０を、金属製の板材を折り曲げ加工して形成しているが、これに限定されるものではない。係止部材１０や固定部材３０を、鋳造や鍛造にて形成してもよい。
【符号の説明】
【００４５】
１      連結金具
２      野縁
２ｂ    側面部（野縁の側面）
２ｃ    リップ部
３      野縁受け
３ａ    ウエブ（野縁受けの側面）
１０    係止部材
１１    横板部
１２    縦板部
１３    係止板部
１４    切下げ部
１５    切起し部
１６    幅広部
３０    固定部材
３１    固定板部
３２    連結板部
３７    切欠き部
３８    切欠き部
５０    天井構造
Ｖ      ビス
【図１】
2018123576.tif 000003
【図２】
2018123576.tif 000004
【図３】
2018123576.tif 000005
【図４】
2018123576.tif 000006
【図５】
2018123576.tif 000007
【図６】
2018123576.tif 000008
【図７】
2018123576.tif 000009
【図８】
2018123576.tif 000010